(57)【要約】【課題】光ピックアップ装置の構造を単純化し、製造を容易化する。【解決手段】光ピックアップ装置１は、レーザー光源３０が固定された光源ホルダ３と、コリメータレンズ４と、コリメータレンズ４を支持したフレームと、対物レンズ５とを備える。フレーム２の光源ホルダ３との当接部分には、コリメータレンズ４の光軸上を中心として凹んだ半球状の凹部２２０が設けられている。光源ホルダ３は、半球状に形成され凹部２２０と揺動自在に嵌合した凸部３１と、中心軸が光軸とほぼ一致した貫通孔部３３とを備える。レーザー光源３０は凹部２２０の中心Ｐに発光点を一致させて貫通孔部３３に固定されている。光源ホルダ３とフレーム２とは、３本以上のビス６，…によって締結可能とされている。ビス６の頭部６０と光源ホルダ３との間には、光源ホルダ３をコリメータレンズ４側に付勢するコイルバネ６１が介在している。【選択図】　図１
2004133968.tif 000002
【特許請求の範囲】
【請求項１】
レーザー光源と、
このレーザー光源が固定された光源ホルダと、
前記レーザー光源から出射されたレーザー光を屈折させて平行光にするコリメータレンズと、
このコリメータレンズを支持し、前記光源ホルダが取り付けられたフレームと、
前記コリメータレンズから出射された平行光を集光する対物レンズとを備える光ピックアップ装置であって、
前記フレームにおける前記光源ホルダとの当接部分には、前記コリメータレンズの光軸上の一点を中心として前記コリメータレンズ側に向かって略半球状に凹んだ凹部が設けられ、
前記光源ホルダは、前記コリメータレンズ側に突出する略半球状に形成され前記凹部と揺動自在に嵌合した凸部と、中心軸が前記光軸とほぼ一致した貫通孔部とを備え、
前記レーザー光源は、前記凹部の中心に発光点を一致させて前記貫通孔部に固定され、
前記光源ホルダと前記フレームとは、前記フレームに螺合された３本以上のビスによって締結可能とされ、
前記ビスの頭部と前記光源ホルダとの間には、前記光源ホルダを前記コリメータレンズ側に付勢するコイルバネが介在し、
前記光源ホルダは、前記コリメータレンズの光軸方向と前記レーザー光源の出射方向とが一致した状態で、接着剤によって固定されていることを特徴とする光ピックアップ装置。
【請求項２】
レーザー光源と、
このレーザー光源が固定された光源ホルダと、
前記レーザー光源から出射されたレーザー光を屈折させて平行光にするコリメータレンズと、
このコリメータレンズを支持し、前記光源ホルダが取り付けられたフレームと、
前記コリメータレンズから出射された平行光を集光する対物レンズとを備える光ピックアップ装置であって、
前記フレームにおける前記光源ホルダとの当接部分には、前記コリメータレンズの光軸上の一点を中心として前記コリメータレンズ側に向かって略半球状に凹んだ凹部が設けられ、
前記光源ホルダは、前記コリメータレンズ側に突出する略半球状に形成され前記凹部と揺動自在に嵌合した凸部と、中心軸が前記光軸とほぼ一致した貫通孔部とを備え、
前記レーザー光源は、前記凹部の中心に発光点を一致させて前記貫通孔部に固定され、
前記光源ホルダと前記フレームとは、前記フレームに取り付けられた３つ以上の締結部材によって締結可能とされ、
前記締結部材から前記光源ホルダが抜けるのを防止するための、前記締結部材の抜止め部と、前記光源ホルダとの間には、前記光源ホルダを前記コリメータレンズ側に付勢する弾性部材が介在していることを特徴とする光ピックアップ装置。
【請求項３】
請求項２記載の光ピックアップ装置において、
前記弾性部材は、コイルバネであることを特徴とする光ピックアップ装置。
【請求項４】
請求項２または３記載の光ピックアップ装置において、
前記締結部材は、ビスであることを特徴とする光ピックアップ装置。
【請求項５】
請求項２〜４の何れか一項に記載の光ピックアップ装置において、
前記光源ホルダは、前記コリメータレンズの光軸方向と前記レーザー光源の出射方向とが一致した状態で、接着剤によって固定されていることを特徴とする光ピックアップ装置。
【発明の詳細な説明】
【０００１】
【発明の属する技術分野】
本発明は、光記録媒体に対し情報を記録し、記録された情報を再生する光ピックアップ装置に関する。
【０００２】
【従来の技術】
ＣＤやＤＶＤ等の光記録媒体に対して情報を記録し、記録された情報を再生する光ピックアップ装置においては、レーザー光源から出射されたレーザー光をコリメータレンズで屈折させて平行光とし、この平行光を対物レンズによって光記録媒体の情報記録面に集光している。このような光ピックアップ装置の製造工程では、情報の記録や再生の確実性を高めるべく、レーザー光源の位置と出射方向とを調整することによって、レーザー光源の発光点をコリメータレンズの焦点に配置し、かつレーザー光の出射方向とコリメータレンズの光軸方向とを一致させている（例えば、特許文献１参照）。
【０００３】
具体的には図２に示すように、上記特許文献１に開示の光ピックアップ装置１００においては、レーザー光源１０１を固定するための固定部材１０３がフレーム１０４に複数のビス１０７，…によって固定されており、レーザー光源１０１は、光源ホルダ１０５を介してビス１０８によって固定部材１０３に取り付けられている。固定部材１０３は半球状の凹部１０２を備えている。光源ホルダ１０５は半球状のものであり、固定部材１０３の凹部１０２に嵌合し、固定部材１０３を貫通した調整部材によって凹部１０２内で揺動するようになっている。この光ピックアップ装置１００の製造工程においては、コリメータレンズ１０６の光軸方向と垂直な方向に向かって固定部材１０３をフレーム１０４に対し相対移動することによってレーザー光源１０１の位置を調整し、この固定部材１０３をビス１０７，…によってフレーム１０４に固定している。次に、調整部材１０９を動かして光源ホルダ１０５を固定部材１０３の凹部１０２内で揺動することによりレーザー光源１０１の出射方向を調整し、この光源ホルダ１０５をビス１０８によって固定部材１０３に取り付けている。そして、コリメータレンズ１０６をレーザー光源１０１に対して光軸方向に相対移動させることにより、コリメータレンズ１０６の焦点にレーザー光源１０１の発光点を配置している。
【０００４】
【特許文献１】
特開平６−４８７４号公報
【０００５】
【発明が解決しようとする課題】
しかしながら、上記特許文献１記載の技術においては、レーザー光源１０１の出射方向の調整と光源ホルダ１０５の取り付けとを別個の作業で行うため、光ピックアップ装置の製造に手間がかかっていた。また、レーザー光源１０１の出射方向を調整するための調整部材１０９と光源ホルダ１０５を取り付けるためのビス１０８とがそれぞれ必要とされるため、光ピックアップ装置１００の構造が複雑となっていた。更に、光源ホルダ１０５と固定部材１０３とを介してレーザー光源１０１をフレーム１０４に固定するので、光ピックアップ装置１００の構造が複雑になるとともにその製造に手間がかかるという問題があった。
【０００６】
本発明の課題は、製造が容易で、かつ構造が単純な光ピックアップ装置を提供することである。
【０００７】
【課題を解決するための手段】
上記課題を解決するために、本発明は、レーザー光源と、
このレーザー光源が固定された光源ホルダと、
前記レーザー光源から出射されたレーザー光を屈折させて平行光にするコリメータレンズと、
このコリメータレンズを支持し、前記光源ホルダが取り付けられたフレームと、
前記コリメータレンズから出射された平行光を集光する対物レンズとを備える光ピックアップ装置であって、
前記フレームにおける前記光源ホルダとの当接部分には、前記コリメータレンズの光軸上の一点を中心として前記コリメータレンズ側に向かって略半球状に凹んだ凹部が設けられ、
前記光源ホルダは、前記コリメータレンズ側に突出する略半球状に形成され前記凹部と揺動自在に嵌合した凸部と、中心軸が前記光軸とほぼ一致した貫通孔部とを備え、
前記レーザー光源は、前記凹部の中心に発光点を一致させて前記貫通孔部に固定され、
前記光源ホルダと前記フレームとは、前記フレームに螺合された３本以上のビスによって締結可能とされ、
前記ビスの頭部と前記光源ホルダとの間には、前記光源ホルダを前記コリメータレンズ側に付勢するコイルバネが介在し、
前記光源ホルダは、前記コリメータレンズの光軸方向と前記レーザー光源の出射方向とが一致した状態で、接着剤によって固定されていることを特徴とする。
【０００８】
本発明によれば、凹部に揺動自在に嵌合した凸部を備える光源ホルダは複数のビスによってフレームと締結可能とされ、かつビスの頭部と光源ホルダとの間に介在したコイルバネによってコリメータレンズ側に付勢されているので、ビスによる締付けを調整することによりコイルバネを介して凸部を凹部内で揺動させ、その結果、レーザー光源の出射方向を容易に調整することができる。従って、光源ホルダをフレームに取り付ける作業と、レーザー光源の出射方向を調整する作業とを、ビスを締付けるという同一の作業によって行うことができるため、従来と異なり、レーザー光源の出射方向の調整と光源ホルダの取り付けとを別個の作業で行う必要がない分、光ピックアップ装置の製造を容易に行うことができる。また、レーザー光源の出射方向を調整するための調整部材と光源ホルダを取り付けるためのビスとを別個に用いる必要がない分、光ピックアップ装置の構造を単純化することができる。
また、光源ホルダを介してレーザー光源をフレームに固定することができるので、従来と異なり光源ホルダを固定部材に固定する作業が必要ない分、容易にレーザー光源をフレームに固定することができるとともに、固定部材と、光源ホルダを固定部材に固定するためのビスとが必要ない分、光ピックアップ装置の構造を単純化することができる。
また、凹部の内周面と凸部の外周面とは略半球面状であるので、凹部内で凸部を円滑に揺動させることができる。従って、レーザー光源の出射方向を微調整し、コリメータレンズの光軸方向とレーザー光源の出射方向とを高い精度で一致させることができる。
【０００９】
また、コリメータレンズの光軸方向とレーザー光源の出射方向とが一致した状態で光源ホルダが接着剤によって固定されているので、レーザー光源の出射方向をコリメータレンズの光軸方向に一致した状態に長期間維持することができる。
【００１０】
【発明の実施の形態】
以下、図面を参照しながら、本発明の実施の形態を具体的に説明する。
図１は、本発明に係る光ピックアップ装置１を示す概略図である。なお、図中には、光ピックアップ装置１の中心軸Ｔを１点鎖線で示している。
【００１１】
光ピックアップ装置１は光記録媒体Ｈに対して情報を記録し、記録された情報を再生するものである。この光ピックアップ装置１は、図１に示すように、レーザー光源が固定された光源ホルダ３と、レーザー光源から出射されたレーザー光を屈折させて平行光にするコリメータレンズ４と、このコリメータレンズを支持したフレーム２と、コリメータレンズから出射された平行光を光記録媒体Ｈの情報記録面Ｈ１に集光する対物レンズ等とからなる。
光記録媒体Ｈは中心軸Ｔと垂直に配置されている。このような光記録媒体ＨとしてはＣＤやＤＶＤ、ＭＤ等がある。
【００１２】
フレーム２は、中心軸Ｔと垂直に配置された横枠２０と、中心軸Ｔと平行に配置された縦枠２１と、光源ホルダ３が取り付けられた略円筒形状の円筒部２２とから一体に形成されている。
【００１３】
横枠２０は、対物レンズ５が固定された後述の対物レンズホルダ５０に近接して配置され、対物レンズホルダ５０の移動を拘束するものである。
縦枠２１は横枠２０と円筒部２２とを連結する部材である。この縦枠２１はその中途部においてコリメータレンズ４を支持しており、コリメータレンズ４の光軸は中心軸Ｔと一致した状態となっている。
【００１４】
円筒部２２の中心軸は、中心軸Ｔと一致している。この円筒部２２と光源ホルダ３との当接部分には、コリメータレンズ４の焦点Ｐを中心としてコリメータレンズ４の側に向かって略半球面状に凹んだ内周面を有する凹部２２０が設けられている。この凹部２２０には、コリメータレンズ４の側に突出した略半球面状の外周面を有する光源ホルダ３が揺動自在に嵌合している。また、円筒部２２の周囲には、中心軸Ｔと平行な方向に開口し、内周面に雌ネジ部を有する孔部（図示せず）が３以上、例えば４つ設けられている。この孔部は後述のビス６と螺合するものである。
【００１５】
光源ホルダ３には中心軸Ｔに沿って延在する貫通孔部３３が設けられており、貫通孔部３３の中心軸は中心軸Ｔと一致している。この光源ホルダ３はフレーム２の凹部２２０と揺動自在に嵌合した略半球状の凸部３１と、中心軸Ｔと垂直な矩形の板状部３２とから一体に形成されている。
【００１６】
貫通孔部３３の内部にはレーザー光源３０と受光部（図示せず）とが固定されており、貫通孔部３３の内周面は、レーザー光源３０から出射されコリメータレンズ４に入射するレーザー光を遮ることがないように形成されている。
【００１７】
レーザー光源３０はレーザー光を出射するものであり、本実施の形態においては内部に受光部が配置されたホログラムレーザーユニットが用いられている。レーザー光源３０の発光点は、コリメータレンズ４の焦点Ｐと一致している。
受光部は、光記録媒体Ｈからの反射光、即ち光記録媒体Ｈの情報記録面Ｈ１で反射し、対物レンズ５によって平行光とされ、コリメータレンズ４によってその焦点Ｐに集光された光を受光するものである。この受光部が光記録媒体Ｈからの反射光を受光することにより、光記録媒体Ｈの情報が再生され、かつこの反射光のＲＦ（ラジオフリークエンシー）信号及びジッター値が検出されるようになっている。そして、これらＲＦ値及びジッター値により、レーザー光源３０の出射方向や位置のずれが検知されるようになっている。
【００１８】
凸部３１は、コリメータレンズの焦点Ｐを中心としてコリメータレンズ４の側に突出した略半球状のものであり、その外周面は凹部２２０の内周面に対し摺動可能となっている。凸部３１の高さ、つまり凸部３１の中心軸Ｔ方向の長さは、凹部２２０の深さ、つまり凹部２２０の中心軸Ｔ方向の長さよりも長くなっている。この凸部３１におけるコリメータレンズ４と反対の側の部位には、板状部３２が当接している。
【００１９】
板状部３２は中心軸Ｔと平行な３以上、例えば４つの孔部３１０，…を備えている。各孔部３１０は、前記円筒部２２の孔部と対向している。各孔部３１０にはビス（締結部材）６が挿通されており、孔部３１０に挿通されたビス６は円筒部２２の前記孔部に螺合されている。そのため、板状部３２は、ビス６によって円筒部２２と締結可能な状態となっている。
ビス６の頭部（抜止め部）６０と板状部３２との間にはコイルバネ（弾性部材）６１が介在している。このコイルバネ６１は、ビス６の頭部６０と板状部３２とによって挟まれ、光源ホルダ３をコリメータレンズ４の側に向かって付勢している。つまり、光源ホルダ３の凸部３１は、コイルバネ６１によって円筒部２２の凹部２２０に押圧された状態となっている。従って、ビス６の締付けを調整することによってコイルバネ６１による光源ホルダ３のコリメータレンズ４の側への付勢力を調整することができ、この付勢力をコイルバネ６，…間で相対的に調整することにより、光源ホルダ３の凸部３１を凹部２２０の内部で揺動させることができる。
【００２０】
対物レンズ５は、その光軸を中心軸Ｔに一致させた状態で対物レンズホルダ５０に固定されている。対物レンズホルダ５０には、図示しないアクチュエータが設けられており、このアクチュエータとともにフレーム２に対して相対移動することにより、フォーカシングサーボ及びトラッキングサーボを行うことができるようになっている。この対物レンズホルダ５０は、横枠２０よりも光記録媒体Ｈの側に配置されており、横枠２０よりもレーザー光源３０の側に移動しないように移動が拘束されている。
【００２１】
次に、フレーム２にレーザー光源３０を取り付ける手順について説明する。
まず、レーザー光源３０が固定された光源ホルダ３の凸部３１を円筒部２２の凹部２２０に嵌合させる。これにより、レーザー光源３０の発光点が、コリメータレンズ４の焦点Ｐに配置される。
次に、板状部３２の各孔部３１０にビス６を挿通し、円筒部２２の前記孔部に螺合する。この際、ビス６をコイルバネ６１の内部に挿通し、コイルバネ６１がビス６の頭部６０と板状部３２とによって挟まれるようにする。これにより、板状部３２を備えた光源ホルダ３が複数のビス６，…によって円筒部２２に締結可能な状態とされ、光源ホルダ３がコリメータレンズ４の側に付勢された状態となる。
そして、各ビス６の締付けを調整することにより、コイルバネ６１による光源ホルダ３のコリメータレンズ４側への付勢力を、コイルバネ６ごとに相対的に調整する。これにより、光源ホルダ３の凸部３１を凹部２２０の内部で揺動させ、レーザー光源３０の出射方向を中心軸Ｔに一致させる。この作業においては、光源ホルダ３に固定された受光部から出力されるＲＦ信号及びジッター値を参考にすることができる。
なお、このように中心軸Ｔとレーザー光源３０の出射方向とを一致させた後には、必要に応じて光源ホルダ３をＵＶ接着剤などの接着剤によって固定することとしても良い。光源ホルダ３の固定は、例えばビス６の周囲や光源ホルダ３と円筒部２２との当接部分の周囲に接着剤を塗り付けることによって行うことができる。このように光源ホルダ３の固定を行った場合には、レーザー光源３０の出射方向をコリメータレンズ４の光軸方向に一致した状態に長期間維持することができる。一方、ビス６を固定しない場合には、光ピックアップ装置１が完成された後でも、ビス６の締付けを調整することによりレーザー光源３０の出射方向の調整を行うことができる。
【００２２】
以上のようにフレーム２にレーザー光源３０が取り付けられた光ピックアップ装置１によれば、凹部２２０に揺動自在に嵌合した凸部３１を備える光源ホルダ３は３つ以上のビス６，…によってフレーム２の円筒部２２と締結可能とされ、かつビス６の頭部６０と光源ホルダ３との間に介在したコイルバネ６１によってコリメータレンズ４側に付勢されているので、ビス６による締付けを調整することによりコイルバネ６１を介して凸部３１を凹部２２０内で揺動させ、その結果、レーザー光源３０の出射方向を容易に調整することができる。従って、光源ホルダ３をフレーム２に取り付ける作業と、レーザー光源３０の出射方向を調整する作業とを、ビス６を締付けるという同一の作業によって行うことができるため、従来と異なり、レーザー光源１０１の出射方向の調整と光源ホルダ１０５の取り付けとを別個の作業で行う必要がない分、光ピックアップ装置１の製造を容易に行うことができる。また、レーザー光源１０１の出射方向を調整するための調整部材１０９と光源ホルダ１０５を取り付けるためのビス１０８とを別個に用いる必要がない分、光ピックアップ装置の構造を単純化することができる。
【００２３】
また、凹部２２０の内周面と凸部３１の外周面とは略半球面状であるので、凹部２２０内で光源ホルダ３を円滑に揺動させることができる。従って、レーザー光源３０の出射方向を微調整し、コリメータレンズ４の光軸方向とレーザー光源３０の出射方向とを高い精度で一致させることができる。
【００２４】
また、コリメータレンズ４の焦点Ｐを中心とする略半球状の凹部２２０には光源ホルダ３の凸部３１が嵌合し、光源ホルダ３にはコリメータレンズ４の光軸と中心軸が一致した貫通孔部３３が設けられ、この貫通孔部３３には、コリメータレンズ４の焦点Ｐに発光点を一致させてレーザー光源３０が固定されているので、光源ホルダ３の凸部３１とフレーム２の凹部２２０とが嵌合することによってレーザー光源３０がコリメータレンズ４の焦点Ｐに配置された状態となる。つまり、フレーム２の凹部２２０に光源ホルダ３の凸部３１を嵌合させることによって、レーザー光源３０がコリメータレンズ４の焦点Ｐに配置された状態となる。従って、レーザー光源３０をフレーム２に取り付ける際に、従来と異なり、固定部材１０３をフレーム１０４に対し相対移動させてレーザー光源３０の位置を調整する作業が必要ない分、光ピックアップ装置１の製造を容易に行うことができる。
【００２５】
また、光源ホルダ３を介してレーザー光源３０をフレーム２に固定することができるので、従来と異なり、光源ホルダ１０５を固定部材１０３に固定する必要がない分、容易にレーザー光源３０をフレーム２に固定することができるとともに、固定部材１０３とビス１０８とが必要ない分、光ピックアップ装置１の構造を単純化することができる。
【００２６】
更に、対物レンズ５はコリメータレンズ４の光軸と一致した光軸を有しているので、コリメータレンズ４から出射される平行光を対物レンズ５によって集光することにより、対物レンズ５に対向して配置されるＣＤやＤＶＤ等の光記録媒体Ｈに対し情報を記録し、記録された情報の再生をすることができる。
【００２７】
なお、上記実施の形態においては、光源ホルダ３はビス６によってフレーム２の円筒部２２に取り付けられることとして説明したが、これに限らず、ボルトやネジ等、他の締結部材によって取り付けられることとしても良い。特に、ボルトによって光源ホルダ３を円筒部２２に取り付ける場合には、コリメータレンズ４と反対側の端部に雄ネジ部を有するボルトを光源ホルダ３の孔部３１０に挿通させて円筒部２２に固定し、光源ホルダ３との間にコイルバネを挟んでナット（抜止め部）を螺合させることとしてもよい。この場合、ナットの締付けを調整することにより、光源ホルダ３が円筒部２２の内部で揺動することとなる。
また、レーザー光源３０としてホログラムレーザーを用いていることとして説明ｓしたが、レーザー光を出射するものであれば、例えばレーザーダイオード等の他の光源でも良い。
【００２８】
【発明の効果】
本発明によれば、ビスによる締付けを調整することによりコイルバネを介して凸部を凹部内で揺動させ、その結果、レーザー光源の出射方向を容易に調整することができる。従って、光源ホルダをフレームに取り付ける作業と、レーザー光源の出射方向を調整する作業とを、ビスを締付けるという同一の作業によって行うことができるため、従来と異なり、レーザー光源の出射方向の調整と光源ホルダの取り付けとを別個の作業で行う必要がない分、光ピックアップ装置の製造を容易に行うことができる。また、レーザー光源の出射方向を調整するための調整部材と光源ホルダを取り付けるためのビスとを別個に用いる必要がない分、光ピックアップ装置の構造を単純化することができる。
また、従来と異なり光源ホルダを固定部材に固定する作業が必要ない分、容易にレーザー光源をフレームに固定することができるとともに、固定部材と、光源ホルダを固定部材に固定するためのビスとが必要ない分、光ピックアップ装置の構造を単純化することができる。
更に、凹部内で凸部を円滑に揺動させることができるため、レーザー光源の出射方向を微調整し、コリメータレンズの光軸方向とレーザー光源の出射方向とを高い精度で一致させることができる。
【図面の簡単な説明】
【図１】本発明に係る光ピックアップ装置を示す概略図である。
【図２】従来のレーザー光源の取り付け例を示す縦断面図である。
【符号の説明】
１　光ピックアップ装置
２　フレーム
３　光源ホルダ
４　コリメータレンズ
５　対物レンズ
６　ビス（締結部材）
３０　レーザー光源
３１　凸部
３３　貫通孔部
６０　頭部（抜止め部）
６１　コイルバネ（弾性部材）
２２０　凹部
Ｐ　コリメータレンズの焦点（凹部の中心）
【図１】
2004133968.tif 000003
【図２】
2004133968.tif 000004